(57)【要約】【課題】携帯電話機を用いた安価なカード決済端末装置を提供する。【解決手段】携帯電話機を用いたカード決済システム１は、決済情報センター１０に設けられ、暗号化カード決済情報を含む電子メールを受信し解読してカード決済情報として決済機関１２のデータ処理装置１３に送って決済機関１２のデータ処理装置１３から決済結果情報を受信し、決済結果情報を電子メールとして送出する決済情報処理装置１１と、会員番号、決済機関コード及び他の決済情報を含むカード決済情報を暗号化し暗号化カード決済情報として送出できるカードリーダ５と、カードリーダ５からの暗号化カード決済情報をメールボックスに取込み、メールボックスに格納された暗号化カード決済情報を電子メールとして決済情報処理装置１１に送信し、決済情報処理装置１１から決済結果情報の電子メールを受信できる携帯電話機９とから構成されている。【選択図】　図１
2004078662.tif 000002
【特許請求の範囲】
【請求項１】
電子メールの送受信機能を搭載した携帯電話機とカードリーダとからなるカード決済端末装置と、カード決済情報センターに設けられ、前記カード決済端末装置と電子メールの送受信が可能なカード決済情報処理装置と、を備えたカード決済システムにおいて、
前記カード決済端末装置は、
前記カードリーダを用いて、カード情報を読み取る読取手段と、
前記読取手段により読み取った前記カード情報、および、所定のカード決済情報を、前記携帯電話機を用いて電子メールとして前記決済情報処理装置へ送信するカード決済メール送信手段と、を備え、
前記カード決済情報処理装置は、
前記カード決済メール送信手段により電子メールとして送信された前記カード情報、および、所定のカード決済情報の内容に基づいて処理された与信調査の結果を電子メールとして前記カード決済端末装置へ送信する与信結果メール送信手段を備えたことを特徴とするカード決済システム。
【請求項２】
電子メールの送受信機能を搭載した携帯電話機とカードリーダとからなるカード決済端末装置と、カード決済情報センターに設けられ、前記カード決済端末装置と電子メールの送受信が可能なカード決済情報処理装置と、を備えたカード決済システムにおいて、
前記カード決済端末装置は、
前記カードリーダを用いて、少なくとも会員番号と決済機関コードが書き込まれたカードからカード情報を読み取る読取手段と、
前記読取手段により読み取った前記カード情報、および他の決済情報を含むカード決済情報を前記カードリーダを用いて暗号化し、暗号化カード決済情報を作成する暗号化手段と、
前記暗号化手段により作成された暗号化カード決済情報を、前記携帯電話機へ送出するカード決済情報送出手段と、
前記カード決済情報送出手段により送出された前記暗号化カード決済情報を前記携帯電話機で受け付けるカード決済情報受付手段と、
前記カード決済情報受付手段により受け付けた前記暗号化カード決済情報を前記携帯電話機の有するメールボックスに取込み、電子メールとして前記決済情報処理装置へ送信するカード決済メール送信手段と、
を備え、
前記カード決済情報処理装置は、
前記カード決済メール送信手段により電子メールとして送信された前記暗号化カード決済情報を受信するカード決済メール受信手段と、
前記カード決済メール受信手段により受信された前記暗号化カード決済情報を前記カード決済情報に復号化する復号化手段と、
前記復号化手段により復号化された前記カード決済情報を決済機関のデータ処理装置に転送し、当該カードによるカード決済の利用を許可するか否かを判断する与信調査を依頼する与信調査依頼手段と、
前記決済機関から転送される、前記与信調査依頼手段により依頼された与信調査の結果である与信調査結果を受信する与信結果受信手段と、
前記与信結果受信手段により受信された前記与信結果を電子メールとして前記カード決済端末装置へ送信する与信結果メール送信手段と、
を備え、
さらに、前記カード決済端末装置は、
前記与信結果メール送信手段により電子メールとして送信された前記与信結果を前記携帯電話機で受信する与信結果メール受信手段と、
前記与信結果メール受信手段により受信された前記与信結果を前記携帯電話機の有する表示画面上に表示する表示手段と、
を備えたことを特徴とするカード決済システム。
【請求項３】
電子メールの送受信機能を搭載した携帯電話機とカードリーダとからなり、カードを利用して決済処理を行うカード決済システムを管理する情報処理センターに設けられた決済情報処理装置と、電子メールの送受信が可能なカード決済端末装置において、
前記カードリーダを用いて、少なくとも会員番号と決済機関コードが書き込まれたカードからカード情報を読み取る読取手段と、
前記読取手段により読み取った前記カード情報、および他の決済情報を含むカード決済情報を前記カードリーダを用いて暗号化し、暗号化カード決済情報を作成する暗号化手段と、
前記暗号化手段により作成された暗号化カード決済情報を、前記携帯電話機へ送出するカード決済情報送出手段と、
前記カード決済情報送出手段により送出された前記暗号化カード決済情報を前記携帯電話機で受け付けるカード決済情報受付手段と、
前記カード決済情報受付手段により受け付けた前記暗号化カード決済情報を前記携帯電話機の有するメールボックスに取込み、電子メールとして前記決済情報処理装置へ送信するカード決済メール送信手段と、
前記決済情報処理装置より電子メールとして送信される、前記決済情報処理装置で前記カード決済メール送信手段により送信された前記暗号化カード決済情報を復号化して得られた前記カード決済情報を基に実行された、当該カードによるカード決済の利用を許可するか否かを判断する与信調査の結果を、前記携帯電話機で受信する与信結果メール受信手段と、
前記与信結果メール受信手段により受信された前記与信結果を前記携帯電話機の有する表示画面上に表示する表示手段と、
を備えたことを特徴とするカード決済端末装置。
【請求項４】
電子メールの送受信機能を搭載した携帯電話機とカードリーダとからなるカード決済端末装置と、カードを利用して決済処理を行うカード決済システムを管理する情報処理センターに設けられた決済情報処理装置と、を備えたカード決済システム内での情報の遣り取りに使用するカード決済方法において、
前記カードリーダを用いて、少なくとも会員番号と決済機関コードが書き込まれたカードからカード情報を読み取る第１のステップと、
前記第１のステップにより読み取った前記カード情報、および他の決済情報を含むカード決済情報を前記カードリーダを用いて暗号化し、暗号化カード決済情報を作成する第２のステップと、
前記第２のステップにより作成された暗号化カード決済情報を、前記携帯電話機へ送出する第３のステップと、
前記第３のステップにより送出された前記暗号化カード決済情報を前記携帯電話機で受け付ける第４のステップと、
前記第４のステップにより受け付けた前記暗号化カード決済情報を前記携帯電話機の有するメールボックスに取込み、電子メールとして前記決済情報処理装置へ送信する第５のステップと、
前記決済情報処理装置より電子メールとして送信される、前記決済情報処理装置で前記第５のステップにより送信された前記暗号化カード決済情報を復号化して得られた前記カード決済情報を基に実行された、当該カードによるカード決済の利用を許可するか否かを判断する与信調査の結果を、前記携帯電話機で受信する第６のステップと、
前記第６のステップにより受信された前記与信結果を前記携帯電話機の有する表示画面上に表示する第７のステップと、
を有することを特徴とするカード決済方法。
【請求項５】
電子メールの送受信機能を搭載した携帯電話機とカードリーダとからなるカード決済端末装置と、カードを利用して決済処理を行うカード決済システムを管理する情報処理センターに設けられた決済情報処理装置と、を備えたカード決済システム内での情報の遣り取りに使用するカード決済プログラムにおいて、
前記カードリーダを用いて、少なくとも会員番号と決済機関コードが書き込まれたカードからカード情報を読み取る読取機能と、
前記読取機能により読み取った前記カード情報、および他の決済情報を含むカード決済情報を前記カードリーダを用いて暗号化し、暗号化カード決済情報を作成する暗号化機能と、
前記暗号化機能により作成された暗号化カード決済情報を、前記携帯電話機へ送出するカード決済情報送出機能と、
前記カード決済情報送出機能により送出された前記暗号化カード決済情報を前記携帯電話機で受け付けるカード決済情報受付機能と、
前記カード決済情報受付機能により受け付けた前記暗号化カード決済情報を前記携帯電話機の有するメールボックスに取込み、電子メールとして前記決済情報処理装置へ送信するカード決済メール送信機能と、
前記決済情報処理装置より電子メールとして送信される、前記決済情報処理装置で前記カード決済メール送信機能により送信された前記暗号化カード決済情報を復号化して得られた前記カード決済情報を基に実行された、当該カードによるカード決済の利用を許可するか否かを判断する与信調査の結果を、前記携帯電話機で受信する与信結果メール受信機能と、
前記与信結果メール受信機能により受信された前記与信結果を前記携帯電話機の有する表示画面上に表示する表示機能と、
をコンピュータに実現させることを特徴とするカード決済プログラム。
【請求項６】
電子メールの送受信機能を搭載した携帯電話機とカードリーダとからなるカード決済端末装置と、カードを利用して決済処理を行うカード決済システムを管理する情報処理センターに設けられた決済情報処理装置と、を備えたカード決済システム内での情報の遣り取りに使用するカード決済プログラムを記憶した記憶媒体において、
前記カードリーダを用いて、少なくとも会員番号と決済機関コードが書き込まれたカードからカード情報を読み取る読取機能と、
前記読取機能により読み取った前記カード情報、および他の決済情報を含むカード決済情報を前記カードリーダを用いて暗号化し、暗号化カード決済情報を作成する暗号化機能と、
前記暗号化機能により作成された暗号化カード決済情報を、前記携帯電話機へ送出するカード決済情報送出機能と、
前記カード決済情報送出機能により送出された前記暗号化カード決済情報を前記携帯電話機で受け付けるカード決済情報受付機能と、
前記カード決済情報受付機能により受け付けた前記暗号化カード決済情報を前記携帯電話機の有するメールボックスに取込み、電子メールとして前記決済情報処理装置へ送信するカード決済メール送信機能と、
前記決済情報処理装置より電子メールとして送信される、前記決済情報処理装置で前記カード決済メール送信機能により送信された前記暗号化カード決済情報を復号化して得られた前記カード決済情報を基に実行された、当該カードによるカード決済の利用を許可するか否かを判断する与信ｓ調査の結果を、前記携帯電話機で受信する与信結果メール受信機能と、
前記与信結果メール受信機能により受信された前記与信結果を前記携帯電話機の有する表示画面上に表示する表示機能と、
をコンピュータに実現させることを特徴とするカード決済プログラムを記憶した記憶媒体。
【請求項７】
カード決済情報センターに設けられ、電子メールの送受信機能を搭載した携帯電話機とカードリーダとからなるカード決済端末装置と電子メールの送受信が可能なカード決済情報処理装置において、
前記携帯電話機から電子メールとして送信される暗号化されたカード決済情報を受信するカード決済メール受信手段と、
前記カード決済メール受信手段により受信された前記暗号化されたカード決済情報を復号化してカード決済情報とする復号化手段と、
前記復号化手段により復号化された前記カード決済情報を決済機関のデータ処理装置に転送し、当該カードによるカード決済の利用を許可するか否かを判断する与信調査を依頼する与信調査依頼手段と、
前記決済機関から転送される、前記与信調査依頼手段により依頼された与信調査の結果である与信調査結果を受信する与信結果受信手段と、
前記与信結果受信手段により受信された前記与信結果を電子メールとして前記カード決済端末装置へ送信する与信結果メール送信手段と、
を備えたことを特徴とするカード決済情報処理装置。
【請求項８】
電子メールの送受信機能を搭載した携帯電話機とカードリーダとからなるカード決済端末装置と、カードを利用して決済処理を行うカード決済システムを管理する情報処理センターに設けられた決済情報処理装置と、を備えたカード決済システム内での情報の遣り取りに使用するカード決済方法において、
前記携帯電話機から電子メールとして送信される暗号化されたカード決済情報を受信する第８のステップと、
前記第８のステップにより受信された前記暗号化されたカード決済情報を復号化してカード決済情報とする第９のステップと、
前記第９のステップにより復号化された前記カード決済情報を決済機関のデータ処理装置に転送し、当該カードによるカード決済の利用を許可するか否かを判断する与信調査を依頼する第１０のステップと、
前記決済機関から転送される、前記第１０のステップにより依頼された与信調査の結果である与信調査結果を受信する第１１のステップと、
前記第１１のステップにより受信された前記与信結果を電子メールとして前記カード決済端末装置へ送信する第１２のステップと、
を有することを特徴とするカード決済方法。
【請求項９】
電子メールの送受信機能を搭載した携帯電話機とカードリーダとからなるカード決済端末装置と、カードを利用して決済処理を行うカード決済システムを管理する情報処理センターに設けられた決済情報処理装置と、を備えたカード決済システム内での情報の遣り取りに使用するカード決済プログラムにおいて、
前記携帯電話機から電子メールとして送信される暗号化されたカード決済情報を受信するカード決済メール受信機能と、
前記カード決済メール受信機能により受信された前記暗号化されたカード決済情報を復号化してカード決済情報とする復号化機能と、
前記復号化機能により復号化された前記カード決済情報を決済機関のデータ処理装置に転送し、当該カードによるカード決済の利用を許可するか否かを判断する与信調査を依頼する与信調査依頼機能と、
前記決済機関から転送される、前記与信調査依頼機能により依頼された与信調査の結果である与信調査結果を受信する与信結果受信機能と、
前記与信結果受信機能により受信された前記与信結果を電子メールとして前記カード決済端末装置へ送信する与信結果メール送信機能と、
をコンピュータに実現させることを特徴とするカード決済プログラム。
【請求項１０】
電子メールの送受信機能を搭載した携帯電話機とカードリーダとからなるカード決済端末装置と、カードを利用して決済処理を行うカード決済システムを管理する情報処理センターに設けられた決済情報処理装置と、を備えたカード決済システム内での情報の遣り取りに使用するカード決済プログラムを記憶した記憶媒体において、
前記携帯電話機から電子メールとして送信される暗号化されたカード決済情報を受信するカード決済メール受信機能と、
前記カード決済メール受信機能により受信された前記暗号化されたカード決済情報を復号化してカード決済情報とする復号化機能と、
前記復号化機能により復号化された前記カード決済情報を決済機関のデータ処理装置に転送し、当該カードによるカード決済の利用を許可するか否かを判断する与信調査を依頼する与信調査依頼機能と、
前記決済機関から転送される、前記与信調査依頼機能により依頼された与信調査の結果である与信調査結果を受信する与信結果受信機能と、
前記与信結果受信機能により受信された前記与信結果を電子メールとして前記カード決済端末装置へ送信する与信結果メール送信機能と、
をコンピュータに実現させることを特徴とするカード決済プログラムを記憶した記憶媒体。
【発明の詳細な説明】
【０００１】
【発明の属する技術分野】
本発明は、簡単な構成で確実なカード決済を可能にするカード決済システム、カード決済方法、カード決済端末装置、カード決済情報処理装置、カード決済プログラム、および、カード決済プログラムを記憶した記憶媒体に関する。
【０００２】
【従来の技術】
従来、クレジットカードなどを使用してサービスの提供を受けた対価や商品購入時の決済を行う場合には、例えば次の３つの方法が使用されている。
（ｉ）専用の無線回線により通信が可能なカード決済端末機を用意し、クレジット決済が必要となったときに、当該カード決済端末機に例えばクレジットカードの情報を読み取らせるとともに、その他決済に必要な情報をキー入力し、しかる後に、専用無線回線で決済機関のデータ処理装置に接続し、クレジット決済に必要な情報を前記決済機関のデータ処理装置に送出することにより、クレジットカードによる決済を行う方法（特開２００１−２０９８４５号公報、第１の従来技術）。
【０００３】
（ｉｉ）携帯電話機を決済機関のデータ処理装置に接続し、前記データ処理装置から要求されるカード決済に必要な情報（会員番号や金額など）を、携帯電話機のキーを手操作して入力することにより、クレジットカードによる決済を行う方法（第２の従来技術）。
【０００４】
（ｉｉｉ）カードリーダに高速な中央演算処理ユニット（ＣＰＵ）と、ＲＯＭ（リード・オンリ・メモリ）と、ＲＡＭ（主メモリ）と、入出力インターフェースとを設け、カードリーダ用の回路を入出力インターフェースを介してＣＰＵ側に接続しかつ、ＲＯＭにオペレーティングシステムおよびカード決済や情報通信制御を行うアプリケーションプログラムを格納し、決済が必要となったときに、通信回線を介して決済情報センターのデータ処理装置に接続し、上記オペレーティングシステム、アプリケーションプログラムをＣＰＵが処理し、決済に必要なカード決済情報を決済情報センターのデータ処理装置に送り、クレジットカードによる決済を行う方法（第３の従来技術）。
【０００５】
【発明が解決しようとする課題】
上述した第１の従来技術によれば、専用の無線回線を必要とし、さらにカード決済端末の外形が大きいうえその重量が重く、かつ、装置が高価であった。
上述した第２の従来技術によれば、携帯電話機で会員番号を入力するには操作が面倒である他、誤入力をしてしまうという不都合があり、しかも、カードがなくても決済が可能であるため、会員番号が漏れた場合などには他人によって悪用されるおそれがあり、安全面で問題があるという欠点があった。
上述した第３の従来技術によれば、高速なＣＰＵやＲＯＭやＲＡＭなどのハードウエアを設ける必要がある他、オペレーティングシステム、アプリケーションプログラムなどを開発して格納する必要があり、しかも通信制御もする必要があるため、部品点数が多くなり、しかも、ソフトウエアが大きくなる結果、製造コストが上昇してしまうという欠点があった。
本発明は、上述した問題点を解消し、簡単な構成でかつ安価で確実、安全にクレジット決済を可能にする携帯電話機を用いたカード決済システム、携帯電話機を用いたカード決済決済方法、決済情報処理装置、決済情報処理方法、決済情報処理プログラム、および、決済情報処理プログラムが格納された記憶媒体を提供することを目的とする。
【０００６】
【課題を解決するための手段】
請求項１記載の発明では、電子メールの送受信機能を搭載した携帯電話機とカードリーダとからなるカード決済端末装置と、カード決済情報センターに設けられ、前記カード決済端末装置と電子メールの送受信が可能なカード決済情報処理装置と、を備えたカード決済システムにおいて、前記カード決済端末装置は、前記カードリーダを用いて、カード情報を読み取る読取手段と、前記読取手段により読み取った前記カード情報、および、所定のカード決済情報を、前記携帯電話機を用いて電子メールとして前記決済情報処理装置へ送信するカード決済メール送信手段と、を備え、前記カード決済情報処理装置は、前記カード決済メール送信手段により電子メールとして送信された前記カード情報、および、所定のカード決済情報の内容に基づいて処理された与信調査の結果を電子メールとして前記カード決済端末装置へ送信する与信結果メール送信手段を備えることにより前記目的を達成する。
【０００７】
請求項２記載の発明では、電子メールの送受信機能を搭載した携帯電話機とカードリーダとからなるカード決済端末装置と、カード決済情報センターに設けられ、前記カード決済端末装置と電子メールの送受信が可能なカード決済情報処理装置と、を備えたカード決済システムにおいて、前記カード決済端末装置は、前記カードリーダを用いて、少なくとも会員番号と決済機関コードが書き込まれたカードからカード情報を読み取る読取手段と、前記読取手段により読み取った前記カード情報、および他の決済情報を含むカード決済情報を前記カードリーダを用いて暗号化し、暗号化カード決済情報を作成する暗号化手段と、前記暗号化手段により作成された暗号化カード決済情報を、前記携帯電話機へ送出するカード決済情報送出手段と、前記カード決済情報送出手段により送出された前記暗号化カード決済情報を前記携帯電話機で受け付けるカード決済情報受付手段と、前記カード決済情報受付手段により受け付けた前記暗号化カード決済情報を前記携帯電話機の有するメールボックスに取込み、電子メールとして前記決済情報処理装置へ送信するカード決済メール送信手段と、を備え、前記カード決済情報処理装置は、前記カード決済メール送信手段により電子メールとして送信された前記暗号化カード決済情報を受信するカード決済メール受信手段と、前記カード決済メール受信手段により受信された前記暗号化カード決済情報を前記カード決済情報に復号化する復号化手段と、前記復号化手段により復号化された前記カード決済情報を決済機関のデータ処理装置に転送し、当該カードによるカード決済の利用を許可するか否かを判断する与信調査を依頼する与信調査依頼手段と、前記決済機関から転送される、前記与信調査依頼手段により依頼された与信調査の結果である与信調査結果を受信する与信結果受信手段と、前記与信結果受信手段により受信された前記与信結果を電子メールとして前記カード決済端末装置へ送信する与信結果メール送信手段と、を備え、さらに、前記カード決済端末装置は、前記与信結果メール送信手段により電子メールとして送信された前記与信結果を前記携帯電話機で受信する与信結果メール受信手段と、前記与信結果メール受信手段により受信された前記与信結果を前記携帯電話機の有する表示画面上に表示する表示手段と、を備えることにより前記目的を達成する。
【０００８】
請求項３記載の発明では、電子メールの送受信機能を搭載した携帯電話機とカードリーダとからなり、カードを利用して決済処理を行うカード決済システムを管理する情報処理センターに設けられた決済情報処理装置と、電子メールの送受信が可能なカード決済端末装置において、前記カードリーダを用いて、少なくとも会員番号と決済機関コードが書き込まれたカードからカード情報を読み取る読取手段と、前記読取手段により読み取った前記カード情報、および他の決済情報を含むカード決済情報を前記カードリーダを用いて暗号化し、暗号化カード決済情報を作成する暗号化手段と、前記暗号化手段により作成された暗号化カード決済情報を、前記携帯電話機へ送出するカード決済情報送出手段と、前記カード決済情報送出手段により送出された前記暗号化カード決済情報を前記携帯電話機で受け付けるカード決済情報受付手段と、前記カード決済情報受付手段により受け付けた前記暗号化カード決済情報を前記携帯電話機の有するメールボックスに取込み、電子メールとして前記決済情報処理装置へ送信するカード決済メール送信手段と、前記決済情報処理装置より電子メールとして送信される、前記決済情報処理装置で前記カード決済メール送信手段により送信された前記暗号化カード決済情報を復号化して得られた前記カード決済情報を基に実行された、当該カードによるカード決済の利用を許可するか否かを判断する与信調査の結果を、前記携帯電話機で受信する与信結果メール受信手段と、前記与信結果メール受信手段により受信された前記与信結果を前記携帯電話機の有する表示画面上に表示する表示手段と、を備えることにより前記目的を達成する。
【０００９】
請求項４記載の発明では、電子メールの送受信機能を搭載した携帯電話機とカードリーダとからなるカード決済端末装置と、カードを利用して決済処理を行うカード決済システムを管理する情報処理センターに設けられた決済情報処理装置と、を備えたカード決済システム内での情報の遣り取りに使用するカード決済方法において、前記カードリーダを用いて、少なくとも会員番号と決済機関コードが書き込まれたカードからカード情報を読み取る第１のステップと、前記第１のステップにより読み取った前記カード情報、および他の決済情報を含むカード決済情報を前記カードリーダを用いて暗号化し、暗号化カード決済情報を作成する第２のステップと、前記第２のステップにより作成された暗号化カード決済情報を、前記携帯電話機へ送出する第３のステップと、前記第３のステップにより送出された前記暗号化カード決済情報を前記携帯電話機で受け付ける第４のステップと、前記第４のステップにより受け付けた前記暗号化カード決済情報を前記携帯電話機の有するメールボックスに取込み、電子メールとして前記決済情報処理装置へ送信する第５のステップと、前記決済情報処理装置より電子メールとして送信される、前記決済情報処理装置で前記第５のステップにより送信された前記暗号化カード決済情報を復号化して得られた前記カード決済情報を基に実行された、当該カードによるカード決済の利用を許可するか否かを判断する与信調査の結果を、前記携帯電話機で受信する第６のステップと、前記第６のステップにより受信された前記与信結果を前記携帯電話機の有する表示画面上に表示する第７のステップと、を有することにより前記目的を達成する。
【００１０】
請求項５記載の発明では、電子メールの送受信機能を搭載した携帯電話機とカードリーダとからなるカード決済端末装置と、カードを利用して決済処理を行うカード決済システムを管理する情報処理センターに設けられた決済情報処理装置と、を備えたカード決済システム内での情報の遣り取りに使用するカード決済プログラムにおいて、前記カードリーダを用いて、少なくとも会員番号と決済機関コードが書き込まれたカードからカード情報を読み取る読取機能と、前記読取機能により読み取った前記カード情報、および他の決済情報を含むカード決済情報を前記カードリーダを用いて暗号化し、暗号化カード決済情報を作成する暗号化機能と、前記暗号化機能により作成された暗号化カード決済情報を、前記携帯電話機へ送出するカード決済情報送出機能と、前記カード決済情報送出機能により送出された前記暗号化カード決済情報を前記携帯電話機で受け付けるカード決済情報受付機能と、前記カード決済情報受付機能により受け付けた前記暗号化カード決済情報を前記携帯電話機の有するメールボックスに取込み、電子メールとして前記決済情報処理装置へ送信するカード決済メール送信機能と、前記決済情報処理装置より電子メールとして送信される、前記決済情報処理装置で前記カード決済メール送信機能により送信された前記暗号化カード決済情報を復号化して得られた前記カード決済情報を基に実行された、当該カードによるカード決済の利用を許可するか否かを判断する与信調査の結果を、前記携帯電話機で受信する与信結果メール受信機能と、前記与信結果メール受信機能により受信された前記与信結果を前記携帯電話機の有する表示画面上に表示する表示機能と、をコンピュータに実現させることにより前記目的を達成する。
【００１１】
請求項６記載の発明では、電子メールの送受信機能を搭載した携帯電話機とカードリーダとからなるカード決済端末装置と、カードを利用して決済処理を行うカード決済システムを管理する情報処理センターに設けられた決済情報処理装置と、を備えたカード決済システム内での情報の遣り取りに使用するカード決済プログラムを記憶した記憶媒体において、前記カードリーダを用いて、少なくとも会員番号と決済機関コードが書き込まれたカードからカード情報を読み取る読取機能と、前記読取機能により読み取った前記カード情報、および他の決済情報を含むカード決済情報を前記カードリーダを用いて暗号化し、暗号化カード決済情報を作成する暗号化機能と、前記暗号化機能により作成された暗号化カード決済情報を、前記携帯電話機へ送出するカード決済情報送出機能と、前記カード決済情報送出機能により送出された前記暗号化カード決済情報を前記携帯電話機で受け付けるカード決済情報受付機能と、前記カード決済情報受付機能により受け付けた前記暗号化カード決済情報を前記携帯電話機の有するメールボックスに取込み、電子メールとして前記決済情報処理装置へ送信するカード決済メール送信機能と、前記決済情報処理装置より電子メールとして送信される、前記決済情報処理装置で前記カード決済メール送信機能により送信された前記暗号化カード決済情報を復号化して得られた前記カード決済情報を基に実行された、当該カードによるカード決済の利用を許可するか否かを判断する与信調査の結果を、前記携帯電話機で受信する与信結果メール受信機能と、前記与信結果メール受信機能により受信された前記与信結果を前記携帯電話機の有する表示画面上に表示する表示機能と、をコンピュータに実現させるカード決済プログラムを記憶することにより前記目的を達成する。
【００１２】
請求項７記載の発明では、カード決済情報センターに設けられ、電子メールの送受信機能を搭載した携帯電話機とカードリーダとからなるカード決済端末装置と電子メールの送受信が可能なカード決済情報処理装置において、前記携帯電話機から電子メールとして送信される暗号化されたカード決済情報を受信するカード決済メール受信手段と、前記カード決済メール受信手段により受信された前記暗号化されたカード決済情報を復号化してカード決済情報とする復号化手段と、前記復号化手段により復号化された前記カード決済情報を決済機関のデータ処理装置に転送し、当該カードによるカード決済の利用を許可するか否かを判断する与信調査を依頼する与信調査依頼手段と、前記決済機関から転送される、前記与信調査依頼手段により依頼された与信調査の結果である与信調査結果を受信する与信結果受信手段と、前記与信結果受信手段により受信された前記与信結果を電子メールとして前記カード決済端末装置へ送信する与信結果メール送信手段と、を備えることにより前記目的を達成する。
【００１３】
請求項８記載の発明では、電子メールの送受信機能を搭載した携帯電話機とカードリーダとからなるカード決済端末装置と、カードを利用して決済処理を行うカード決済システムを管理する情報処理センターに設けられた決済情報処理装置と、を備えたカード決済システム内での情報の遣り取りに使用するカード決済方法において、前記携帯電話機から電子メールとして送信される暗号化されたカード決済情報を受信する第８のステップと、前記第８のステップにより受信された前記暗号化されたカード決済情報を復号化してカード決済情報とする第９のステップと、前記第９のステップにより復号化された前記カード決済情報を決済機関のデータ処理装置に転送し、当該カードによるカード決済の利用を許可するか否かを判断する与信調査を依頼する第１０のステップと、前記決済機関から転送される、前記第１０のステップにより依頼された与信調査の結果である与信調査結果を受信する第１１のステップと、前記第１１のステップにより受信された前記与信結果を電子メールとして前記カード決済端末装置へ送信する第１２のステップと、を有することにより前記目的を達成する。
【００１４】
請求項９記載の発明では、電子メールの送受信機能を搭載した携帯電話機とカードリーダとからなるカード決済端末装置と、カードを利用して決済処理を行うカード決済システムを管理する情報処理センターに設けられた決済情報処理装置と、を備えたカード決済システム内での情報の遣り取りに使用するカード決済プログラムにおいて、前記携帯電話機から電子メールとして送信される暗号化されたカード決済情報を受信するカード決済メール受信機能と、前記カード決済メール受信機能により受信された前記暗号化されたカード決済情報を復号化してカード決済情報とする復号化機能と、前記復号化機能により復号化された前記カード決済情報を決済機関のデータ処理装置に転送し、当該カードによるカード決済の利用を許可するか否かを判断する与信調査を依頼する与信調査依頼機能と、前記決済機関から転送される、前記与信調査依頼機能により依頼された与信調査の結果である与信調査結果を受信する与信結果受信機能と、前記与信結果受信機能により受信された前記与信結果を電子メールとして前記カード決済端末装置へ送信する与信結果メール送信機能と、をコンピュータに実現させることにより前記目的を達成する。
【００１５】
請求項１０記載の発明では、電子メールの送受信機能を搭載した携帯電話機とカードリーダとからなるカード決済端末装置と、カードを利用して決済処理を行うカード決済システムを管理する情報処理センターに設けられた決済情報処理装置と、を備えたカード決済システム内での情報の遣り取りに使用するカード決済プログラムを記憶した記憶媒体において、前記携帯電話機から電子メールとして送信される暗号化されたカード決済情報を受信するカード決済メール受信機能と、前記カード決済メール受信機能により受信された前記暗号化されたカード決済情報を復号化してカード決済情報とする復号化機能と、前記復号化機能により復号化された前記カード決済情報を決済機関のデータ処理装置に転送し、当該カードによるカード決済の利用を許可するか否かを判断する与信調査を依頼する与信調査依頼機能と、前記決済機関から転送される、前記与信調査依頼機能により依頼された与信調査の結果である与信調査結果を受信する与信結果受信機能と、前記与信結果受信機能により受信された前記与信結果を電子メールとして前記カード決済端末装置へ送信する与信結果メール送信機能と、をコンピュータに実現させるカード決済プログラムを記憶することにより前記目的を達成する。
【００１６】
【発明の実施の形態】
以下、本発明の実施の形態について図面を参照して説明する。
図１ないし図８は、本発明の実施の形態に係る携帯電話機を用いたカード決済システム１を説明するための図である。
【００１７】
ここに、図１は、本発明の実施の形態に係る携帯電話機を用いたカード決済システム１を示す構成図である。
この図１において、本発明の実施の形態に係る携帯電話機を用いたカード決済システム１は、カードリーダ５、携帯電話機９および決済情報処理装置１１とから構成される。
カードリーダ５は、少なくとも会員番号と決済機関コードが書き込まれたクレジットカード３からカード情報を読み取ることができるとともに当該カード情報および他の決済情報を含むカード決済情報を暗号化し暗号化カード決済情報として送出する。
【００１８】
携帯電話機９は、前記カードリーダ５からの暗号化カード決済情報をメールボックスに取込み、かつ、前記メールボックスに格納された前記暗号化カード決済情報を決済情報センター１０宛の宛名（メールアドレス）を付けた電子メールとしてパケット通信網１７を介して通信事業者接続センター１８内のメールサーバへ送信し、かつ通信事業者接続センター１８内のメールサーバからパケット通信網１７を介して送られてくる自己宛（メールアドレス）の決済結果情報の電子メールを受信する。
【００１９】
情報処理装置１１は、前記決済情報センター１０に設けられていて、通信事業者接続センター１８のメールサーバおよびインターネット７を介して送られてくる決済情報センター１０宛の暗号化カード決済情報を含む電子メールを受信し解読してカード決済情報とし、当該カード決済情報をＣＡＦＩＳ（カードビジネス総合ネットワークシステム）１５を介して決済機関１２のデータ処理装置１３に送った後、前記決済機関１２のデータ処理装置１３から決済結果情報をＣＡＦＩＳ１５を介して受信し、当該決済結果情報を送出先の宛名（メールアドレス）を付して電子メールにしインターネット７を介して通信事業者接続センター１８のメールサーバへ送出する。
このＣＡＦＩＳ１５とは、決済情報処理装置１１から送信された決済情報を、指定された決済機関１２へ転送する機能を有するネットワークである。
【００２０】
上述したカード決済システムにおいて前記携帯電話機９は、パケット通信網１７、通信事業者接続センター１８のメールサーバ、インターネット７を介して決済情報センター１０の決済情報処理装置１１に等価的に接続された状態になり、前記携帯電話機９から決済情報処理装置１１へ暗号化カード決済情報を送信することができるとともに、前記決済情報処理装置１１から送信された決済結果情報を携帯電話機９で受信できる。
【００２１】
前記決済情報処理装置１１は、メールサーバの機能を有しており、前記通信事業者接続センター１８のメールサーバから前記インターネット７を介して送られてくる電子メールを受信し、かつ、前記決済情報処理装置１１側から電子メールをインターネット７を介して前記通信事業者接続センター１８のメールサーバに送信できるように構成されている。
また、前記決済情報処理装置１１は、前記インターネット７を介して接続されている前記通信事業者接続センター１８のメールサーバから送られてくる暗号化カード決済情報を含む電子メールを受信し、この受信した電子メールの内容を復号化（暗号の解読）する。
【００２２】
そして、前記決済情報処理装置１１は、復号化した当該カード決済情報を前記決済機関１２のデータ処理装置１３にＣＡＦＩＳ１５を介して送信する。その後、前記決済機関１２のデータ処理装置１３からＣＡＦＩＳ１５を介して決済結果情報を受信し、当該決済結果情報を電子メールとして前記インターネット７を介して接続されている前記通信事業者接続センター１８のメールサーバに携帯電話機９宛の宛名（メールアドレス）を付して送出する。
また、通信事業者接続センター１８のメールサーバにはパケット通信網１７を介して携帯電話機９が接続されているので、等価的に、携帯電話機９と決済情報処理装置１１とが接続された状態になって、上記電子メールの送受信は携帯電話機９と決済情報処理装置１１との間で行われることになる。
【００２３】
前記カードリーダ５は、詳細は後述するが、クレジットカード３を読み取るカード読取部５１と、キーボードなどの入力キー５２と、前記入力キー５２より入力したデータその他のデータを表示する液晶ディスプレイ５３とを備え、クレジットカード３のカード情報を読み取るとともに当該カード情報および他の決済情報を含むカード決済情報を暗号化し、暗号化カード決済情報として前記携帯電話機９に送出できるように構成されている。
【００２４】
前記携帯電話機９は、前述したように電子メールの送受信機能を有しており、かつ、前記カードリーダ５からの暗号化カード決済情報をメールボックスに取込んだ後、前記決済情報センター１０宛の宛名（メールアドレス）を付してパケット通信網１７および通信事業者接続センター１８のメールサーバを介して前記決済情報センター１０の決済情報処理装置１１に接続し、しかる後、前記メールボックスに格納された前記暗号化カード決済情報を前記決済情報センター１０の決済情報処理装置１１に送信し、前記決済情報処理装置１１から決済結果情報を受信できる機能を備えている。
【００２５】
ここで、通信事業者接続センター１８では、図示しないが、アクセスサーバと、ゲートウエイサーバと、ルーターと、メールサーバとがＬＡＮで接続されている。また、前記通信事業者接続センター１８では、アクセスサーバには前記パケット通信網１７が接続されており、前記ルーターにはインターネット７が接続されている。そして、前記携帯電話機９は、パケット通信網１７を介して通信事業者接続センター１８のアクセスサーバ、ゲートウエイサーバ、メールサーバおよびルーターを経由して等価的にインターネット７に接続されるようになっている。
【００２６】
図２は、本発明の実施の形態に係る携帯電話機を用いたカード決済システム１で使用するカードを示す図である。
この図２に示すクレジットカード３は、プラスチックなどの素材により所定大きさの長方形状の薄板状３１に形成されており、その薄板状３１の一面の偏った位置に細い帯状の磁気記録媒体３２が設けられている。この磁気記録媒体３２には、例えば「開始コード（Ｓｙｃ１）」、「会員番号」、「クレジット会社、銀行、決済代行機関など決済機関コード」、「その他必要な情報」、「終了コード（Ｓｙｃ２）」などが書き込まれている。
【００２７】
図３は、本発明の実施の形態に係る携帯電話機を用いたカード決済システム１で使用するカードリーダの外観を示す図である。
本発明の携帯電話機を用いたカード決済システム１で使用されるカードリーダ５は、図３に示すように、所定の大きさの直方体形状のカードリーダ本体５０と、このカードリーダ本体５０の一面の図示右側面側に偏った位置にクレジットカード３の厚みよりやや大きな幅の溝を図示上側の側面から図示下側の側面に渡って形成してなるカード読取部５１と、前記決済に必要な情報を入力するためのテンキーおよび転送キーなどの入力キー５２と、前記入力キー５２で入力した情報を確認したりその他必要な情報を表示する液晶ディスプレイ５３と、電源スイッチ（図示せず）と、前記カードリーダ本体５０の内部に設けたカード情報処理回路（図示せず）と、前記カードリーダ本体５０の内部に設けた電源回路（図示せず）とを備えている。また、前記カードリーダ５は、入力した情報やカード情報を各種の暗号化手法により暗号化して送出できる暗号化手段を備えている。前記カードリーダ５には通信ケーブル５４が設けられており、この通信ケーブル５４の先端に携帯電話機９のデータ伝送端子に接続できる接続ソケット５５が設けられており、カードリーダ５より暗号化した出力情報を通信ケーブル５４を介して携帯電話機９に送り込むことができるようになっている。
【００２８】
また、前記カード読取部５１は、当該カード読取部５１の溝の内側であって当該溝の内側の中程の所定の位置に磁気読取ヘッド（図示せず）が設けられており、当該溝の図示上側からクレジットカード３の磁気記録媒体３２側を前記溝の底側に配置した状態で挿入し、図示上側から図示下側に向かってクレジットカード３を当該溝の内部に挿入したままの状態で当該溝に沿って所定の速さで移動させることにより、クレジットカード３の磁気記録媒体３２に記録されているクレジットカード情報が磁気読取ヘッドによって読み取れるようになっている。
【００２９】
図４は、本発明の実施の形態に係る携帯電話機を用いたカード決済システム１に使用する携帯電話機の外観を示す正面図である。
この図４において、前記携帯電話機９は、本体９ａの図示上側に液晶ディスプレイ９ｂを設け、その下側にダイヤルキー９ｃを設け、その図示右上側にアンテナ９ｄを設け、また、本体９ａの中心部にマルチファンクションキー９ｅを設けた構成となっている。また、この携帯電話機９は、電子メールの送受信機能を備えていて、パケット通信網１７、信事業者接続センター１８に設置したアクセスサーバ、ゲートウエイサーバ、メールサーバおよびルーターを経由してインターネット７に接続可能とされており、電子メールの送受信ができるようになっている。また、液晶ディスプレイ９ｂは、その他各種の表示が可能になっている。
【００３０】
図５は、本発明の実施の形態に係る携帯電話機を用いたカード決済システム１における決済情報処理装置を示すブロック図である。
この図５において、前記決済情報処理装置１１は、各種データの記録や装置全体の動作を管理する管理サーバ１１ａと、インターネット７に接続されていて電子メールの送受信ができるメールサーバ１１ｂと、ＣＡＦＩＳ１５に接続してデータ処理装置１３との通信を制御するための通信制御用コンピュータ１１ｃと、これらサーバ１１ａ，１１ｂおよび通信制御用コンピュータ１１ｃへの各種設定を行うためのデクストップクライアント１１ｄと、これらを接続するＬＡＮ回線１１ｅとを備えている。
【００３１】
また、管理サーバ１１ａは、当該装置で通信が行われた場合の記録を格納しておくデータベースを備えるとともに、メールサーバ１１ｂから電子メールを受け取り、当該電子メールが暗号化カード決済情報の場合には、当該暗号化カード決済情報を暗号解読した後に、そのカード決済情報を基に装置全体の動作を統括制御するコンピュータである。
また、前記メールサーバ１１ｂは、インターネット７から電子メールを受信すると、受信した電子メールを管理サーバ１１ａに送り、しかる後、管理サーバ１１ａから決済結果情報を受信し、電子メール形式にした後に携帯電話機９宛の宛名（メールアドレス）を付してインターネット７に送出できるようになっている。
【００３２】
通信制御用コンピュータ１１ｃは、管理サーバ１１ａからの処理命令に基づいて、管理サーバ１１ａより指定された決済機関１２のデータ処理装置１３にＣＡＦＩＳ１５を介して接続し、管理サーバ１１ａから受け取ったカード決済情報をＣＡＦＩＳ１５を介して決済機関１２のデータ処理装置１３に送り、しかる後に、データ処理装置１３からＣＡＦＩＳ１５を介して送られてくる決済結果情報を通信制御用コンピュータ１１ｃで受信し、その受信した決済結果情報を前記管理サーバ１１ａに与えるようになっている。
前記管理サーバ１１ａは、通信制御用コンピュータ１１ｃからの決済結果情報をメールサーバ１１ｂに与えるようになっている。
デクストップクライアント１１ｄは、管理サーバ１１ａ、メールサーバ１１ｂおよび通信制御用コンピュータ１１ｃに各種必要な設定を行えるようになっている。
【００３３】
ここで、管理サーバ１１ａ、メールサーバ１１ｂおよび通信制御用コンピュータ１１ｃは、基本的には、同一のハードウエア構成をしているので、代表して管理サーバ１１ａを説明し、メールサーバ１１ｂおよび通信制御用コンピュータ１１ｃのハードウエアの説明を省略する。なお、デクストップクライアント１１ｄは、既に説明したが、管理サーバ１１ａ、メールサーバ１１ｂや通信制御用コンピュータ１１ｃへの各種の設定をしたり、決済機関１２や決済情報センター１０において必要な情報を取得したりするためのものであり、他のものとは異なるので後に説明することにする。
【００３４】
まず、管理サーバ１１ａについて説明する。前記管理サーバ１１ａは、各種の処理や制御を実行する制御部１１１と、オペレーティングシステムや管理サーバの働きを実現させるアプリケーションプログラムやその他必要なデータを展開記憶する主記憶装置１１２と、オペレーティングシステムや管理サーバの働きを実現させるアプリケーションプログラムやその他必要なデータを格納しているハードディスク装置等の記憶媒体を駆動する記憶媒体駆動装置１１３と、図示しない入力機器や出力機器などを接続するための入出力インターフェース（Ｉ／Ｆ）と、前記ＬＡＮ回線１１ｅに接続してデータ通信を行うＬＡＮカード１１５と、これらを接続するバスライン１１６とから構成されている。
【００３５】
また、前記制御部１１１は、各種演算処理を実行する中央演算処理装置（ＣＰＵ）１１１ａと、イニシャル時に所定の処理を前記ＣＰＵ１１１ａに実行させるプログラムが記憶されたリード・オンリ・メモリ（ＲＯＭ）１１１ｂと、前記ＣＰＵ１１１ａが演算処理を実行する際に、必要なデータを一時格納するランダム・アクセス・メモリ（ＲＡＭ）１１１ｃとから構成されており、これらはバスライン１１６に接続されている。
【００３６】
次に、前記デクストップクライアント１１ｄについて説明する。前記デクストップクライアント１１ｄは、各種の処理や制御を実行する制御部１２１と、オペレーティングシステムやデクストップクライアントを実現させるアプリケーションプログラムやその他必要なデータを記憶する主記憶装置１２２と、ハードディスク等の記憶媒体を駆動する記憶媒体駆動装置１２３と、図示しない入力機器や出力機器などを接続するための入出力インターフェース（Ｉ／Ｆ）１２４と、前記ＬＡＮ回線１１ｅに接続してデータ通信を行うＬＡＮカード１２５と、前記制御部１２１に各種データを入力するためのキーボード１２６と、前記制御部１２１に必要な指示を与えるマウス１２７と、前記制御部１２１で処理した結果を表示する表示装置１２８と、これらを接続するバスライン１２９とから構成されている。
【００３７】
また、前記制御部１２１は、各種演算処理を実行するＣＰＵ１２１ａと、イニシャル時に所定の処理を前記ＣＰＵ１２１ａに実行させるプログラムが記憶されたＲＯＭ１２１ｂと、前記ＣＰＵ１２１ａが演算処理を実行する際に、必要なデータを一時格納するＲＡＭ１２１ｃとから構成されており、これらはバスライン１２９に接続されている。
【００３８】
図６は、本発明の実施の形態に係る携帯電話機を用いたカード決済システム１使用するカードリーダを示すブロック図である。
この図６において、カードリーダ５のカード情報処理回路は、後述するプログラムを実行することによりカードリーダ５としての動作を行わせる演算処理装置（ＣＰＵ）５６と、カードリーダ５として動作させるプログラムが格納されているメモリ５７と、入力キー５２からの入力データを制御するキーコントローラ５８と、液晶ディスプレイ５３の表示を制御する表示制御ユニット５９と、磁気読取ヘッド６０で読み取ったクレジットカード情報を処理する読取データ処理回路６１と、携帯電話機９との間で通信を行うための電話機インターフェース（Ｉ／Ｆ）６２と、これらを接続するバスライン６３とから構成される。前記電話機Ｉ／Ｆ６２は、通信ケーブル５４が接続可能になっている。
【００３９】
また、前記電源回路は、カードリーダ本体５０に内蔵したバッテリからの直流電力または商用電源を整流して得た直流電力を前記各回路に供給できるようになっており、前述したようにカードリーダ本体５０内にバッテリを搭載しているので商用電源のない場合でも使用できる。
【００４０】
ここで、クレジット決済が必要となって電源スイッチをオンとすると、前記ＣＰＵ５６は、前記メモリ５７に格納されているプログラムを実行し、待機状態になる。この待機状態で、カードリーダ５のカードリーダ本体５０の溝の図示上側からクレジットカード３の磁気記録媒体３２側を、前記溝の底側に配置した状態で挿入し、図示上側から図示下側に向かってクレジットカード３を当該溝に沿って所定の速さで移動させることにより、クレジットカード３の磁気記録媒体３２に記録されているクレジットカード情報を磁気読取ヘッド６０で読み取る。
この磁気読取ヘッド６０の読取データは、読取データ処理回路６１で所定の信号形式に処理されてＣＰＵ５６に送られるようになっている。
【００４１】
前記ＣＰＵ５６は、読取データ処理回路６１から送られてくるクレジットカード情報や、入力キー５２から入力された決済に必要な情報などのカード決済情報を取込み、取込んだカード決済情報を暗号化プログラムを起動して暗号化して暗号化カード決済情報を作成し、その後、前記メモリ５７の所定のエリアに格納する。これら一連の処理が終了すると、カードリーダ５は転送可能状態になる。
カードリーダ５が転送可能状態にある場合、前記ＣＰＵ５６は、携帯電話機９から転送許可が通知されると、入力キー５２の転送キーの押下によって、前記暗号化したクレジットカード情報および決済に必要なデータなどを含む暗号化カード決済情報を通信ケーブル５４を介して携帯電話機９のメールボックスに転送する処理を実行するようになっている。
【００４２】
（動作説明）
このような構成の携帯電話機を用いたカード決済システムの動作を図１ないし図６を基に図７ないし図１０を参照して説明する。
図７は、本発明の実施の形態に係る携帯電話機を用いたカード決済システム１において携帯電話機側での操作を含んだ流れの一例を説明するためのフローチャートである。図８は、本発明の実施の形態に係る携帯電話機を用いたカード決済システム１において、カードリーダ５の動作の一例を説明するためのフローチャートである。図９は、本発明の実施の形態に係る携帯電話機を用いたカード決済システム１において、携帯電話機の動作の一例を説明するためのフローチャートである。図１０は、本発明の実施の形態に係る携帯電話機を用いたカード決済システム１において、決済情報処理装置の動作の一例を説明するためのフローチャートである。
【００４３】
（カードリーダ５および携帯電話機９側での操作と各動作）
まず、図７を用いて、携帯電話機９側での操作を含んだ流れを説明する。
決済が必要となったときには、まず、携帯電話機９を操作する者（以下、「操作者」という）が前記携帯電話機９にカードリーダ５を接続した後、前記カードリーダ５の電源スイッチをオンとする（図７のＳ２０１）。
次に、決済を行おうとする者（以下、「利用者」という）あるいは操作者が、カードリーダ５のカード読取部５１の溝にクレジットカード３を挿入し、当該溝内を上から下に向けて移動させて、クレジットカード３の磁気記録媒体３２に記録されているカード情報を磁気読取ヘッド６０で読み取らせる（図７のＳ２０２）。
【００４４】
次に、利用者は、カードリーダ５の入力キー５２を操作し、金額（必要なら暗証番号）などを入力する（図７のＳ２０３）。
すると、カードリーダ５では、ＣＰＵ５６の制御下に、磁気読取ヘッド６０で読み取ったカード情報と、入力キー５２から入力された金額（必要なら暗証番号）などのカード決済情報を、暗号化手段で暗号化してメモリ５７の所定のエリアに一時格納する（図７のＳ２０４）。
そして、操作者は、カードリーダ５の入力キー５２の転送キーを押す（図７のＳ２０５）。
【００４５】
これにより、カードリーダ５のＣＰＵ５６はメモリ５７の所定のエリアに一時格納しておいた暗号化された暗号化カード決済情報を携帯電話機９のメールボックスに送り込む（図７のＳ２０６）。
次に、操作者は、携帯電話機９のダイヤルキー９ｃやマルチファンクションキー９ｅを操作し、電子メールアドレス（決済情報センター１０宛の宛名）を付してメールボックス内の暗号化カード決済情報を送信する操作をする（図７のＳ２０７）。これにより、携帯電話機９は、暗号化カード決済情報を電子メールとして決済情報センター１０宛に送信して待機状態になる（図７のＳ２０８）。
【００４６】
転送した後、一定時間経過すると、前記携帯電話機９は決済結果情報または再入力要求の電子メールを受信し、当該決済結果情報または再入力要求が液晶ディスプレイ９ｂに表示される（図７のＳ２０９）。
そして、携帯電話機９の液晶ディスプレイ９ｂに、「暗証番号間違」あるいは「カード決済情報の読込み不良」などで再入力と表示された場合には（図７のＳ２１０；再入力）、再び、図７のＳ２０２に戻って、図７のＳ２０２以降の処理をする。
また、携帯電話機９の液晶ディスプレイ９ｂに、決済結果情報が与信ＮＧと表示された場合には（図７のＳ２１０；与信ＮＧ）、操作者は、携帯電話機９をインターネット７から切断し、カードリーダ５の電源をオフにして前記携帯電話機９のデータ転送端子からカードリーダ５の接続ソケット５５を外し（図７のＳ２１１）、処理を終了する。
【００４７】
一方、携帯電話機９の液晶ディスプレイ９ｂに、決済結果情報が与信ＯＫと表示された場合には（図７のＳ２１０；与信ＯＫ）、一定時間経過後、追加項目の入力画面が携帯電話機９の液晶ディスプレイ９ｂに表示される（図７のＳ２１２）。
操作者は、追加項目の入力画面を見ながら、前記携帯電話機９のダイヤルキー９ｃやマルチファンクションキー９ｅを操作して必要な情報を入力し（図７のＳ２１３）、入力がすべて終了した場合には入力終了送信ボタンをオンとする（図７のＳ２１４）。
これにより、すべての入力が終了したので、操作者は、前記携帯電話機９のオフフックボタンを押下し、カードリーダ５の電源スイッチをオフにし、かつ、前記携帯電話機９のデータ転送端子から接続ソケット５５を抜き取り、処理を終了する。
【００４８】
以上が携帯電話機９側における操作者や利用者の操作手順や前記携帯電話機９や前記カードリーダ５の個々の動作である。
上述したように携帯電話機９側が動作すると、通信事業者接続センター１８のメールサーバは、携帯電話機９からの暗号化カード決済情報を含む電子メールをＣＡＦＩＳ１５を介して受信し、その受信した暗号化カード決済情報を含む電子メールをインターネット７を介して決済情報処理装置１１のメールサーバ１１ｂに送信する。また、当該通信事業者接続センター１８のメールサーバは、前記決済情報処理装置１１のメールサーバ１１ｂからの決済結果情報を含む電子メールをインターネット７を介して受信し、当該受信した決済結果情報を含む電子メールをパケット通信網１７を介して携帯電話機９に送信する。
【００４９】
また、前記決済情報処理装置１１では、携帯電話機９からパケット通信網１７、通信事業者接続センター１８のメールサーバ、インターネット７を介して送られてくる暗号化カード決済情報を受信し解読してカード決済情報とするステップと、当該カード決済情報をＣＡＦＩＳ１５を介して前記決済機関１２のデータ処理装置１３に送って前記決済機関１２のデータ処理装置１３から決済結果情報を受信し、当該決済結果情報を携帯電話機９用の電子メールに形式変換した後、パケット通信網１７を介して接続されている携帯電話機９に送出するステップとを処理する。
【００５０】
（カードリーダ５、携帯電話機９および決済情報処理装置１１の動作）
次に、以上のような流れのなかで、前記携帯電話機９や、前記カードリーダ５や、前記決済情報処理装置１１がどのように動作しているかを、図８、図９および図１０を参照して説明する。
操作者が、上記図７のＳ２０２ないしＳ２０７の操作をして前記携帯電話機９から暗号化カード決済情報を含む電子メールを前記決済情報センター１０の決済情報処理装置１１宛に送信できる状態になり、かつ、前記決済情報センター１０の決済情報処理装置１１から携帯電話機９宛の決済結果情報を含む電子メールを受信できる状態になると、図８のカードリーダ５のフローチャートの処理と、図９の携帯電話機９のフローチャートの処理と、図１０の決済情報処理装置１１のフローチャートの処理とが開始される。なお、以下では、まず、カードリーダ５の動作を、ついで携帯電話機９の動作を、最後に決済情報処理装置１１の動作を説明することにする。
【００５１】
（カードリーダ５の動作説明）
まず、カードリーダ５の動作は、次のようになる。上述したように準備が終了した時点で、カードリーダ５は動作を開始できることになる。
前記カードリーダ５のＣＰＵ５６では、メモリ５７に格納されて展開されているアプリケーションプログラムを処理し、まず、読取データ処理回路６１にカード読取データがあるか否かを判断する（図８のＳ４０１；ＮＯの繰り返し）。ここで、読取データ処理回路６１からカード読取データがＣＰＵ５６に供給されると（図８のＳ４０１；ＹＥＳ）、ＣＰＵ５６は、当該データをメモリ５７の所定のエリアに一時格納する（図８のＳ４０２）。
【００５２】
ついで、ＣＰＵ５６は、入力キー５２から入力があるか否かの判断をキーコントローラ５８からのデータを監視することで行う（図８のＳ４０３；ＮＯの繰り返し）。ここで、キーコントローラ５８からキー入力データがＣＰＵ５６に供給されると（図８のＳ４０３；ＹＥＳ）、当該キー入力データの入力処理を実行して当該入力データをメモリ５７の所定のエリアに一時格納する（図８のＳ４０４）。
そして、ＣＰＵ５６は、前記メモリ５７の所定のエリアに一時格納しておいたカード読取データおよびキー入力データからなるカード決済情報を取込み、ＣＰＵ５６によって実現されている暗号化手段で当該カード決済情報を暗号化し、暗号化カード決済情報とする。その後、メモリ５７の所定のエリアに一時格納するとともに、前記カード読取データおよびキー入力データが格納されていたメモリ５７の所定のエリアのカード読取データおよびキー入力データを消去（クリア）する（図８のＳ４０５）。
【００５３】
しかる後、ＣＰＵ５６は、携帯電話機９からの転送許可指令待ちになる（図８のＳ４０６；ＮＯの繰り返し）。ＣＰＵ５６は、携帯電話機９からの転送許可指令を受信すると（図８のＳ４０６；ＹＥＳ）、転送可の表示を液晶ディスプレイ５３に表示し（図８のＳ４０７）、入力キー５２の転送ボタンの押下待ちになる（図８のＳ４０８；ＮＯ−Ｓ４０７の繰り返し）。
【００５４】
ここで、操作者がカードリーダ５の入力キー５２の転送ボタンを押下すると、ＣＰＵ５６は転送ボタンが押下されたと判断し（図８のＳ４０８；ＹＥＳ）、メモリ５７の所定のエリアに格納しておいた暗号化カード決済情報を携帯電話機９のメールボックスに転送し（図８のＳ４０９）、携帯電話機９からの転送完了か再転送要求の受信待ちになる（図８のＳ４１０）。
前記ＣＰＵ５６は、携帯電話機９から再転送要求を受信したときは（図８のＳ４１０；ＮＯ）、「再転送要求コード」を液晶ディスプレイ５３に表示し（図８のＳ４１１）、Ｓ４０６に戻って、Ｓ４０６以降のステップを処理する。
前記ＣＰＵ５６は、携帯電話機９からの転送完了を受信したときは（図８のＳ４１０；ＹＥＳ）、決済結果情報か再入力要求かの入力待ちになる（図８のＳ４１２）。
【００５５】
前記ＣＰＵ５６は、携帯電話機９から再入力要求を受信すると（図８のＳ４１２；再入力）、「再入力コード」の表示を液晶ディスプレイ５３に表示し（図８のＳ４１３）、Ｓ４０１に戻って、Ｓ４０１以降のステップを再び処理する。
そして、前記ＣＰＵ５６は、携帯電話機９から与信ＯＫを受信すると（図９のＳ４１２；与信ＯＫ）、「処理完了コード」を液晶ディスプレイ５３に表示するとともに、メモリ５７の所定エリアに一時格納しておいた暗号化カード決済情報を消去する処理を実行し（図８のＳ４１４）、処理を終了する。
一方、前記ＣＰＵ５６は、携帯電話機９から与信ＮＧを受信すると（図８のＳ４１２；与信ＮＧ）、「与信ＮＧコード」を液晶ディスプレイ５３に表示するとともに、メモリ５７の所定エリアに一時格納しておいた暗号化カード決済情報を消去する処理を実行し（図８のＳ４１５）、処理を終了する。
【００５６】
（携帯電話機９の動作）
次に、携帯電話機９の動作を図９を参照して説明する。携帯電話機９は、図９のフローチャートの処理を開始し、まず、電子メール送信の準備処理を実行する（図９のＳ６０１−Ｓ６０２；ＮＯの繰り返し）。
携帯電話機９は、電子メール送信の準備処理を完了すると（図９のＳ６０２；ＹＥＳ）、転送許可指令をカードリーダ５に送信してカードリーダ５からのデータの入力待ちになる（図９のＳ６０３−Ｓ６０４；ＮＯの繰り返し）
携帯電話機９は、カードリーダ５から暗号化カード決済情報を受信すると（図９のＳ６０４；ＹＥＳ）、当該暗号化カード決済情報をメールボックスに書き込む処理を実行する（図９のＳ６０５）。
携帯電話機９は、暗号化カード決済情報を正常にメールボックスに書き込めた場合には（図９のＳ６０６：ＹＥＳ）、転送完了をカードリーダ５に送信する（図９のＳ６０７）。
【００５７】
一方、携帯電話機９は、暗号化カード決済情報を正常にメールボックスに書き込むことができない場合には（図９のＳ６０６：ＮＯ）、再転送要求をカードリーダ５に送信し（図９のＳ６０８）、Ｓ６０３に戻り、Ｓ６０３以降の処理を再び実行する。
また、携帯電話機９は、転送完了を送信した後（図９のＳ６０７）、電子メール送信可能の表示を本体９ａの液晶ディスプレイ９ｂに表示し（図９のＳ６０９）、送信ボタンのオン待ちになる（図９のＳ６０９−Ｓ６１０；ＮＯの繰り返し）。
【００５８】
ここで、携帯電話機９は、送信ボタンがオンされたことを検出すると（図９のＳ６１０；ＹＥＳ）、決済情報センター宛の宛先とメールボックスに書き込まれた暗号化カード決済情報とが電子メールとしてパケット通信網１７に送信する処理を実行し（図９のＳ６１１）、電子メールの受信待ちになる（図９のＳ６１２；ＮＯの繰り返し）。
ここで、携帯電話機９からパケット通信網１７に送出された電子メールは、通信事業者接続センター１８のメールサーバに送られる。通信事業者接続センター１８のメールサーバは、当該電子メールをインターネット７を介して前記決済情報センター１０の決済情報処理装置１１のメールサーバ１１ｂに送信する。前記決済情報センター１０の決済情報処理装置１１のメールサーバ１１ｂは、携帯電話機９宛の宛名（メールアドレス）を付した決済結果情報または再入力の情報をインターネット７を介して通信事業者接続センター１８のメールサーバに送り込む。通信事業者接続センター１８のメールサーバは、パケット通信網１７を介して携帯電話機９に当該電子メールを送信する。
【００５９】
携帯電話機９は、当該電子メールを受信すると（図９のＳ６１２；ＹＥＳ−Ｓ６１３）、当該電子メールが決済結果情報か再入力要求かを判断する（図９のＳ６１４）。
そして、携帯電話機９は、当該電子メールが再入力要求のときには（図９のＳ６１４；ＹＥＳ）、再入力要求をカードリーダ５に送信する処理を実行し（図９のＳ６１５）、Ｓ６０３に戻り、Ｓ６０３以降の処理を再度実行する。
また、携帯電話機９は、当該電子メールが決済結果情報のときには（図９のＳ６１４；ＮＯ）、与信ＯＫであるか与信ＮＧであるかかを判定する（図９のＳ６１６）。
携帯電話機９は、当該決済結果情報が与信ＮＧであるときには（図９のＳ６１６；与信ＮＧ）、「与信ＮＧ」である旨をカードリーダ５に送信する処理を実行するとともに、当該液晶ディスプレイ９ｂに与信ＮＧを表示する処理を実行して（図９のＳ６１７）、処理を終了する。
【００６０】
一方、携帯電話機９は、当該決済結果情報が与信ＯＫであるときには（図９のＳ６１６；与信ＯＫ）、「与信ＯＫ」である旨をカードリーダ５に送信する処理を実行するとともに、当該液晶ディスプレイ９ｂに与信ＯＫを表示する処理を実行して（図９のＳ６１８）、確認ボタンの操作待ちになる（図９のＳ６１９）。
【００６１】
ここで、操作者が確認ボタンを操作すると、携帯電話機９は、それを検出し（図９のＳ６１９；ＹＥＳ）、他の情報の入力要求を決済情報処理装置１１から受信して液晶ディスプレイ９ｂに表示する処理を実行し（図９のＳ６２０）、当該入力要求に対する入力待ちになる（図９のＳ６２１；ＮＯの繰り返し）。
当該他の情報の入力要求に操作者が入力処理を行うと、携帯電話機９は、それを検出し（図９のＳ６２１；ＹＥＳ）、決済情報処理装置１１宛に電子メールとして送信処理を実行し（図９のＳ６２２）、処理を終了する。
【００６２】
（決済情報処理装置１１の動作）
次に、決済情報処理装置１１の動作を図１０を参照して説明する。図７のＳ２０８が処理されると、決済情報処理装置１１は、図１０のフローチャートの処理を開始する。
まず、前記決済情報センター１０の決済情報処理装置１１のメールサーバ１１ｂは、インターネット７から自己宛の電子メールを受信し、当該電子メールから暗号化された暗号化カード決済情報を取り出して、管理サーバ１１ａに当該暗号化カード決済情報を転送する（図１０のＳ８０１）。
【００６３】
前記決済情報処理装置１１の管理サーバ１１ａは、メールサーバ１１ｂより受け取った暗号化カード決済情報を暗号解読手段により暗号解読し、当該解読したカード決済情報を基にデータベースを参照し、かつ、当該カード決済情報を所定のデータベースに格納する（図１０のＳ８０２）。
また、前記決済情報処理装置１１の管理サーバ１１ａは、解読したカード決済情報とデータベースとから決済機関１２を特定し、通信制御用コンピュータ１１ｃを制御し、通信制御用コンピュータ１１ｃをＣＡＦＩＳ１５を介して前記決済機関１２のデータ処理装置１３に接続し、暗証番号、会員番号、金額など送信して、データの適合性や与信について問い合わせる処理を実行する（図１０のＳ８０３）。
【００６４】
また、前記決済情報処理装置１１の通信制御用コンピュータ１１ｃは、前記決済機関１２のデータ処理装置１３に問い合わせた結果を、管理サーバ１１ａに転送する（図１０のＳ８０４）。
そして、前記決済情報処理装置１１の管理サーバ１１ａは、問い合わせ結果が再入力要求の場合には（図１０のＳ８０５；再入力）、再入力要求をメールサーバ１１ｂに転送し（図１０のＳ８０６）、Ｓ８０１に戻り、Ｓ８０１以降の処理を再度実行する。これにより、前記決済情報処理装置１１のメールサーバ１１ｂは、「再入力要求」の電子メールを携帯電話機９宛にインターネット７を介して送信する。
【００６５】
一方、前記決済情報処理装置１１の管理サーバ１１ａは、問い合わせ結果が与信ＮＧの場合には（図１０のＳ８０５；与信ＮＧ）、決済結果情報（与信ＮＧ）をメールサーバ１１ｂに転送して（図１０のＳ８０７）、処理を終了する。これにより、前記決済情報処理装置１１のメールサーバ１１ｂは、「決済結果情報（与信ＮＧ）」の電子メールを携帯電話機９宛にインターネット７を介して送信する。
前記決済情報処理装置１１の管理サーバ１１ａは、問い合わせ結果が与信ＯＫの場合には（図１０のＳ８０５；与信ＯＫ）、決済結果情報（与信ＯＫ）をメールサーバ１１ｂに転送する（図１０のＳ８０８）。これにより、前記決済情報処理装置１１のメールサーバ１１ｂは、「決済結果情報（与信ＯＫ）」の電子メールを携帯電話機９宛にインターネット７を介して送信する。
【００６６】
また、前記決済情報処理装置１１の管理サーバ１１ａは、他の情報の入力要求をメールサーバ１１ｂに転送する（図１０のＳ８０９）。これにより、前記決済情報処理装置１１のメールサーバ１１ｂは、他の情報の入力要求の電子メールを携帯電話機９宛にインターネット７を介して送信する。
そして、前記決済情報処理装置１１のメールサーバ１１ｂは、他の情報に関する電子メールを受信して、これを管理サーバ１１ａに転送する処理を実行する（図１０のＳ８１０）。
前記決済情報処理装置１１の管理サーバ１１ａは、メールサーバ１１ｂから受け取った他の情報をデータベースに格納するとともに、通信制御用コンピュータ１１ｃやＣＡＦＩＳ１５を介して決済機関１２のデータ処理装置１３に送信し（図１０のＳ８１１）、処理を終了する。
【００６７】
本発明の実施の形態に係る携帯電話機を用いたカード決済システム１では、前記カードリーダ５が図８に示すフローチャートのように動作し、前記携帯電話機９が図９に示すフローチャートのように動作し、また、前記決済情報処理装置１１が図１０に示すフローチャートのように動作することになる。
したがって、本発明の実施の形態に係る携帯電話機を用いたカード決済システム１では、電子メールの送受信処理機能のある携帯電話機９にカードリーダ５を接続し、簡単かつ確実なカード決済を可能にするとともに、特別な装置や複雑で大容量のプログラムも不要である他、カードリーダ５で通信制御を行わないので、安価にカード決済端末を構築できる。
【００６８】
なお、本発明の実施の形態に係る携帯電話機を用いたカード決済システム１では、クレジットカード３を例に説明したが、銀行のキャッシュカード（デビットカード）でもよい。このデビットカードの場合、暗証番号が必須のものとなる。また、クレジットカード３やデビットカードのように磁気記録媒体を設けたもののほか、ＩＣカードを使用してもよい。この場合、カードリーダ５は、ＩＣカードを読み込めるものにする必要がある。
【００６９】
上述した処理を実行する決済情報処理プログラムを決済情報処理装置１１にインストールし、当該決済情報処理装置１１で実行可能な状態にするために用いられるプログラムが格納された記憶媒体としては、例えばフレキシブルディスク、ＣＤ−ＲＯＭ、ＤＶＤなどのパッケージメディア以外に、プログラムが一時的もしくは永続的に格納される半導体メモリや磁気ディスクなどで実現してもよい。上述したプログラム記憶媒体に格納する手段としては、ローカルエリアネットワークやインターネットなどの有線通信媒体、あるいはデジタル衛星放送などの無線通信媒体を利用してもよく、ルーターやモデムなどの各種通信インターフェースを介して格納するようにしてもよい。
【００７０】
【発明の効果】
以上説明したように本発明によれば、電子メール送受信処理機能のある携帯電話機にカードリーダを接続し、かつ、前記カードリーダで得たカード決済情報を前記カードリーダで暗号化して暗号化カード決済情報として携帯電話機のメールボックスに送り込み、当該携帯電話機から当該暗号化カード決済情報を含む電子メールを決済情報センターの決済情報処理装置に送り、前記決済情報処理装置から決済機関のデータ処理装置にカード決済情報を送り、決済機関のデータ処理装置からの決済結果情報を決済情報処理装置で受信し、前記決済情報処理装置から当該決済結果情報を電子メールとして携帯電話機で受信できるようにしてカード決済することができるようにしたので、簡単かつ確実にカード決済を可能にできる。
【００７１】
また、本発明によれば、特別な装置や複雑で大容量のプログラムも不要であるほかカードリーダで通信制御を行わないため、安価にカード決済端末を構築することができる。
【図面の簡単な説明】
【図１】本発明の実施の形態に係る携帯電話機を用いたカード決済システムを示す構成図である。
【図２】本発明の実施の形態に係る携帯電話機を用いたカード決済システムで使用するカードを示す図である。
【図３】本発明の実施の形態に係る携帯電話機を用いたカード決済システムで使用するカードリーダの外観を示す図である。
【図４】本発明の実施の形態に係る携帯電話機を用いたカード決済システムに使用する携帯電話の外観を示す正面図である。
【図５】本発明の実施の形態に係る携帯電話機を用いたカード決済システムにおける決済情報処理装置を示すブロック図である。
【図６】本発明の実施の形態に係る携帯電話機を用いたカード決済システム使用するカードリーダの構成を示すブロック図である。
【図７】本発明の実施の形態に係る携帯電話機を用いたカード決済システムにおいて携帯電話機側での操作を含んだ流れの一例を説明するためのフローチャートである。
【図８】本発明の実施の形態に係る携帯電話機を用いたカード決済システムにおいて、カードリーダの動作の一例を説明するためのフローチャートである。
【図９】本発明の実施の形態に係る携帯電話機を用いたカード決済システムにおいて、携帯電話機の動作の一例を説明するためのフローチャートである。
【図１０】本発明の実施の形態に係る携帯電話機を用いたカード決済システムにおいて、決済情報処理装置のウエブサーバの動作の一例を説明するためのフローチャートである。
【符号の説明】
１　　携帯電話機を用いたカード決済システム
３　　クレジットカード
５　　カードリーダ
７　　インターネット
９　　携帯電話機
１０　決済情報センター
１１　決済情報処理装置
１１ａ　管理サーバ
１１ｂ　メールサーバ
１１ｃ　通信制御用コンピュータ
１１ｄ　デクストップクライアント
１２　決済機関
１３　データ処理装置
１５　ＣＡＦＩＳ
１７　パケット通信網
１８　通信事業者接続センター
【図１】
2004078662.tif 000003
【図２】
2004078662.tif 000004
【図３】
2004078662.tif 000005
【図４】
2004078662.tif 000006
【図５】
2004078662.tif 000007
【図６】
2004078662.tif 000008
【図７】
2004078662.tif 000009
【図８】
2004078662.tif 000010
【図９】
2004078662.tif 000011
【図１０】
2004078662.tif 000012